【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】
所望のデータと前記データを管理する管理用データとを記録媒体に記録する記録装置において、
前記記録媒体の排出の操作を受け付ける操作手段と、
前記操作手段の操作の伝達により前記記録媒体を排出する記録媒体の排出手段と、
前記記録媒体に前記データを記録する記録手段と、
前記管理用データを前記記録媒体に記録可能な位置に、前記記録手段を移動させる移動手段と、
外部機器を接続する接続手段と、
前記外部機器の前記接続手段への接続を判定し、
前記接続手段に前記外部機器が接続されていない場合であって、前記記録媒体が装着されている場合、前記記録媒体への前記管理用データの記録を完了して、前記操作手段の操作を前記排出手段へ伝達可能に設定し、
前記接続手段に前記外部機器が接続されている場合であって、前記記録媒体が装着されている場合、前記外部機器から取り出しの許可が指示されるのを待って、前記操作手段の操作を前記排出手段へ伝達可能に設定する制御手段と
を備えることを特徴とする記録装置。
【請求項２】
前記制御手段は、
前記接続手段に前記外部機器が接続されている場合であって、前記記録媒体が装着されている場合、
前記外部機器からの指示に基づいて、前記移動手段により、前記待機位置から前記記録媒体に記録可能な位置に、前記記録手段を移動させる
ことを特徴とする請求項１に記載の記録装置。
【請求項３】
前記制御手段は、
前記移動手段により、前記待機位置から前記記録媒体に記録可能な位置に、前記記録手段を移動させる場合にあって、前記操作手段の操作を前記排出手段へ伝達可能に設定している場合、前記操作手段の操作を前記排出手段へ伝達困難に設定を切り換える
ことを特徴とする請求項２に記載の記録装置。
【請求項４】
前記記録媒体が、光磁気ディスクであり、
前記待機位置が、前記光磁気ディスクから変調コイルを離間させた位置である
ことを特徴とする請求項２に記載の記録装置。
【請求項５】
前記制御手段は、
前記外部機器の接続を、接続線の電位により判定する
ことを特徴とする請求項１に記載の記録装置。
【請求項６】
所望のデータと前記データを管理する管理用データとを記録媒体に記録する記録装置の制御方法において、
前記記録装置は、
前記記録媒体の排出の操作を受け付ける操作手段と、
前記操作手段の操作の伝達により前記記録媒体を排出する記録媒体の排出手段と、
前記記録媒体に前記データを記録する記録手段と、
前記記録媒体に前記管理用データを記録可能な位置に、前記記録手段を移動させる移動手段と、
外部機器を接続する接続手段とを備え、
前記制御方法は、
前記外部機器の前記接続手段への接続を判定し、
前記接続手段に前記外部機器が接続されていない場合であって、前記記録媒体が装着されている場合、前記記録媒体への前記管理用データの記録を完了して、前記操作手段の操作を前記排出手段へ伝達可能に設定し、
前記接続手段に前記外部機器が接続されている場合であって、前記記録媒体が装着されている場合、前記制御機器から取り出しの許可が指示されるのを待って、前記操作手段の操作を前記排出手段へ伝達可能に設定する
ことを特徴とする記録装置の制御方法。
【手続補正２】
【補正対象書類名】明細書
【補正対象項目名】０００１
【補正方法】変更
【補正の内容】
【０００１】
【発明の属する技術分野】
本発明は、記録装置及び記録装置の制御方法に関し、例えば携帯型の光磁気ディスク装置に適用することができる。本発明は、外部機器の接続を判定し、外部機器が接続されている場合、外部機器から取り出しの許可が指示されるのを待って、記録媒体を取り出し得るように設定することにより、手動により記録媒体を取り出し得るように構成された記録装置においても、管理用データを確実に更新することができるようにし、これにより管理用データの異常、編集作業のやり直し等を防止する。
【手続補正３】
【補正対象書類名】明細書
【補正対象項目名】００１０
【補正方法】変更
【補正の内容】
【００１０】
【課題を解決するための手段】
かかる課題を解決するため請求項１の発明においては、所望のデータと前記データを管理する管理用データとを記録媒体に記録する記録装置に適用して、前記記録媒体の排出の操作を受け付ける操作手段と、前記操作手段の操作の伝達により前記記録媒体を排出する記録媒体の排出手段と、前記記録媒体に前記データを記録する記録手段と、前記管理用データを前記記録媒体に記録可能な位置に、前記記録手段を移動させる移動手段と、外部機器を接続する接続手段と、前記外部機器の前記接続手段への接続を判定し、前記接続手段に前外部機器が接続されていない場合であって、前記記録媒体が装着されている場合、前記記録媒体への前記管理用データの記録を完了して、前記操作手段の操作を前記排出手段へ伝達可能に設定し、前記接続手段に前記外部機器が接続されている場合であって、前記記録媒体が装着されている場合、前記外部機器から取り出しの許可が指示されるのを待って、前記操作手段の操作を前記排出手段へ伝達可能に設定する制御手段とを備えるようにする。
【手続補正４】
【補正対象書類名】明細書
【補正対象項目名】００１１
【補正方法】変更
【補正の内容】
【００１１】
また請求項６の発明においては、所望のデータと前記データを管理する管理用データとを記録媒体に記録する記録装置の制御方法に適用して、前記記録装置は、前記記録媒体の排出の操作を受け付ける操作手段と、前記操作手段の操作の伝達により前記記録媒体を排出する記録媒体の排出手段と、前記記録媒体に前記データを記録する記録手段と、前記記録媒体に前記管理用データを記録可能な位置に、前記記録手段を移動させる移動手段と、外部機器を接続する接続手段とを備え、前記制御方法は、前記外部機器の前記接続手段への接続を判定し、前記接続手段に前記外部機器が接続されていない場合であって、前記記録媒体が装着されている場合、前記記録媒体への前記管理用データの記録を完了して、前記操作手段の操作を前記排出手段へ伝達可能に設定し、前記接続手段に前記外部機器が接続されている場合であって、前記記録媒体が装着されている場合、前記外部機器から取り出しの許可が指示されるのを待って、前記操作手段の操作を前記排出手段へ伝達可能に設定する。
【手続補正５】
【補正対象書類名】明細書
【補正対象項目名】００１２
【補正方法】変更
【補正の内容】
【００１２】
請求項１の構成により、前記外部機器の前記接続手段への接続を判定し、前記接続手段に前記外部機器が接続されていない場合であって、前記記録媒体が装着されている場合、前記記録媒体への前記管理用データの記録を完了して、前記操作手段の操作を前記排出手段へ伝達可能に設定し、前記接続手段に前記外部機器が接続されている場合であって、前記記録媒体が装着されている場合、前記外部機器から取り出しの許可が指示されるのを待って、前記操作手段の操作を前記排出手段へ伝達可能に設定する制御手段を備えることにより、単体で使用している場合には、記録の完了により、コンピュータ等の外部機器に接続して使用している場合には、この外部機器の指示により、記録媒体を取り出し可能とすることができる。これにより手動により記録媒体を取り出し得るように構成された記録装置においても、録音等の途中で記録媒体を排出する動作を防止することができ、外部機器より制御して管理用データを確実に更新した後、記録媒体を排出することが可能とすることができる。
【手続補正６】
【補正対象書類名】明細書
【補正対象項目名】００１３
【補正方法】変更
【補正の内容】
【００１３】
これにより請求項６の構成によれば、手動により記録媒体を取り出し得るように構成された記録装置においても、管理用データを確実に更新することができるようにして、管理用データの異常、編集作業のやり直し等を防止することができる記録装置の制御方法を提供することができる。
【手続補正７】
【補正対象書類名】明細書
【補正対象項目名】００８９
【補正方法】変更
【補正の内容】
【００８９】
（３）実施の形態の効果
以上の構成によれば、手動により光磁気ディスクを取り出すことができる光磁気ディスク装置において、外部機器であるパーソナルコンピュータ２が接続されていない場合には、管理用データの記録の完了により記録媒体を取り出し得るように設定し、パーソナルコンピュータ２が接続されている場合には、取り出しの許可が指示されるのを待って、記録媒体を取り出し得るように設定することにより、処理中に誤って光磁気ディスクを取り出すことが無いようにすることができる。これにより外部機器により制御する場合でも、管理用データを確実に更新することができ、管理用データの異常、編集作業のやり直し等を防止することができる。
【手続補正８】
【補正対象書類名】明細書
【補正対象項目名】００９４
【補正方法】変更
【補正の内容】
【００９４】
【発明の効果】
上述のように本発明によれば、外部機器の接続を判定し、外部機器が接続されている場合、外部機器から取り出しの許可が指示されるのを待って、記録媒体を取り出し得るように設定することにより、手動により記録媒体を取り出し得るように構成された記録装置においても、管理用データを確実に更新することができ、これにより管理用データの異常、編集作業のやり直し等を防止することができる。